(57)【要約】【課題】環境空間に形成される気流の体感性の向上を図ること。【解決手段】気流環境システム１は、放出口５と、反射部３と、を備える。放出口５は、少なくとも特定の方向Ａ１に沿って流れる空気流を、環境空間１００に放出する。反射部３は、特定の方向Ａ１において放出口５と対向するように配置され、特定の方向Ａ１に沿って流れる空気流が当たる。反射部３は、環境空間１００において、当たった空気流を放出口５の側へ還流させるように構成される。【選択図】図１
2020118435.tif 000002
【特許請求の範囲】
【請求項１】
少なくとも特定の方向に沿って流れる空気流を、環境空間に放出する放出口と、
前記特定の方向において前記放出口と対向するように配置され、前記特定の方向に沿って流れる前記空気流が当たる反射部と、
を備え、
前記反射部は、前記環境空間において、当たった前記空気流を前記放出口の側へ還流させるように構成される、
気流環境システム。
【請求項２】
前記反射部は、
前記特定の方向に沿って流れる前記空気流が当たる第１領域と、
前記第１領域の周囲にあり、前記第１領域で当たった前記空気流が沿うように流れて前記放出口の側へ還流させる第２領域と、
を有する、
請求項１に記載の気流環境システム。
【請求項３】
前記第２領域は、前記特定の方向と直交する方向に沿って前記第１領域から離れるほど、前記放出口の側へ近づくように湾曲している、
請求項２に記載の気流環境システム。
【請求項４】
前記環境空間には、
前記放出口から放出された前記空気流が前記反射部に向かって流れる第１流路と、
前記反射部に当たった前記空気流が前記放出口の側へ還流する第２流路と、が形成され、
前記特定の方向に沿って見た時に、前記第２流路は、前記第１流路を囲むように形成される、
請求項１〜３のいずれか１項に記載の気流環境システム。
【請求項５】
前記放出口と前記反射部とは、前記特定の方向において、空隙の中空部を介して互いに離間し、
前記放出口から放出される前記空気流、及び前記放出口の側へ還流する前記空気流は、前記中空部を流れる、
請求項１〜４のいずれか１項に記載の気流環境システム。
【請求項６】
前記特定の方向は、鉛直方向に平行である、
請求項１〜５のいずれか１項に記載の気流環境システム。
【請求項７】
前記特定の方向は、鉛直上向きである、
請求項６に記載の気流環境システム。
【請求項８】
前記特定の方向に沿って流れる前記空気流を発生させて前記放出口に送る送風装置を、更に備える、
請求項１〜７のいずれか１項に記載の気流環境システム。
【請求項９】
前記環境空間に繋がる吸気口を、更に備え、
前記送風装置は、前記反射部から前記放出口の側へ還流された前記空気流を、前記吸気口から吸い込み、前記特定の方向に沿って流れる前記空気流を発生させる、
請求項８に記載の気流環境システム。
【請求項１０】
前記反射部の側に向けて光を照射する投光部を、更に備える、
請求項１〜９のいずれか１項に記載の気流環境システム。
【請求項１１】
前記放出口の側に向けて光を照射する照明部を、更に備える、
請求項１〜１０のいずれか１項に記載の気流環境システム。
【請求項１２】
前記反射部の側に向けて音を鳴らすスピーカ部を、更に備える、
請求項１〜１１のいずれか１項に記載の気流環境システム。
【請求項１３】
前記反射部は、配線ダクトに取り付けられる取付部を有する、
請求項１〜１２のいずれか１項に記載の気流環境システム。
【請求項１４】
前記放出口から前記環境空間に放出する前記空気流に対して、付加要素を付与する機能部を、更に備え、
前記付加要素は、香り、空気浄化、及び温度変化のうちの少なくとも１つを含む、
請求項１〜１３のいずれか１項に記載の気流環境システム。
【請求項１５】
前記放出口は、床面、又は椅子を構成する部材の一面に配置される、
請求項１〜１４のいずれか１項に記載の気流環境システム。
【請求項１６】
前記特定の方向に沿って前記反射部へ流れる前記空気流をガイドするガイド部を、更に備える、
請求項１〜１５のいずれか１項に記載の気流環境システム。
【請求項１７】
前記ガイド部は、前記環境空間を、前記特定の方向の周方向に沿って２つ以上に分割する仕切部を有する、
請求項１６に記載の気流環境システム。
【請求項１８】
人が着座可能な台座を更に備え、
前記仕切部は、前記台座から、前記特定の方向に沿って突出している、
請求項１７に記載の気流環境システム。
【請求項１９】
前記ガイド部は、前記反射部を支持する、
請求項１６〜請求項１８のいずれか１項に記載の気流環境システム。
【発明の詳細な説明】
【技術分野】
【０００１】
本開示は、一般に、気流環境システムに関し、より詳細には、環境空間に気流を形成する気流環境システムに関する。
【背景技術】
【０００２】
従来例として、特許文献１に記載の空気清浄装置を例示する。この空気清浄装置（分煙機）は、タバコから生ずる煙又は臭い等を含む空気を取り込んで清浄化する。空気清浄装置は、本体部と、浄化部と、本体部から上方に延びて上部に空気吸入口を有する筒状の柄部と、柄部の上方に設けられる傘部と、柄部の周囲を上昇する誘引上昇流を発生させるファンと、を備える。この空気清浄装置によれば、煙等の拡散を効果的に抑えることができる。
【先行技術文献】
【特許文献】
【０００３】
【特許文献１】特開２００３−９７８３３号公報
【発明の概要】
【発明が解決しようとする課題】
【０００４】
ところで、この空気清浄装置によれば、タバコから生ずる煙等を含む空気は、柄部の上部にある空気吸入口から取り込まれ、柄部の内部を通る。言い換えると、この空気清浄装置では、煙等の拡散を抑制するために、本体部の側に戻る空気流の流路が、柄部によって、環境空間から隔離されている。そのため、環境空間に形成される気流を環境空間内に居る人に体感させる場合、この空気清浄装置では十分な体感性が得られない可能性がある。
【０００５】
本開示は上記事由に鑑みてなされ、環境空間に形成される気流の体感性の向上を図ることができる、気流環境システムを提供することを目的とする。
【課題を解決するための手段】
【０００６】
本開示の一態様の気流環境システムは、放出口と、反射部と、を備える。放出口は、少なくとも特定の方向に沿って流れる空気流を、環境空間に放出する。反射部は、特定の方向において放出口と対向するように配置され、特定の方向に沿って流れる空気流が当たる。反射部は、環境空間において、当たった空気流を放出口の側へ還流させるように構成される。
【発明の効果】
【０００７】
本開示によれば、環境空間に形成される気流の体感性の向上を図ることができる、という利点がある。
【図面の簡単な説明】
【０００８】
【図１】図１は、一実施形態に係る気流環境システムの外観斜視図である。
【図２】図２は、同上の気流環境システムにおける放出口の正面図である。
【図３】図３は、同上の気流環境システムにおける送風システムの構成を示すブロック図である。
【図４】図４は、同上の気流環境システムにより形成される気流を説明するための模式図である。
【図５】図５は、同上の気流環境システムの変形例１により形成される気流を説明するための模式図である。
【図６】図６は、同上の気流環境システムの変形例１の別の例により形成される気流を説明するための模式図である。
【図７】図７は、同上の気流環境システムの変形例１の更に別の例により形成される気流を説明するための模式図である。
【図８】図８は、同上の気流環境システムの変形例１の更に別の例により形成される気流を説明するための模式図である。
【図９】図９は、同上の気流環境システムの変形例２の外観斜視図である。
【図１０】図１０は、同上の気流環境システムの変形例３の外観斜視図である。
【図１１】図１１は、同上の気流環境システムの変形例３における別の例の外観斜視図である。
【図１２】図１２は、同上の気流環境システムの変形例４の外観斜視図である。
【図１３】図１３は、同上の気流環境システムの変形例５の外観斜視図である。
【図１４】図１４は、同上の気流環境システムの変形例６の外観斜視図である。
【図１５】図１５は、同上の変形例６の別の例の外観斜視図である。
【発明を実施するための形態】
【０００９】
（１）概要
以下の実施形態において説明する各図は、模式的な図であり、各図中の各構成要素の大きさ及び厚さそれぞれの比が、必ずしも実際の寸法比を反映しているとは限らない。
【００１０】
本実施形態に係る気流環境システム１は、環境空間１００（図１参照）に気流（空気流）を形成するように構成されている。環境空間１００は、一例として、施設内の空間を想定するが、施設外（屋外）の空間でもよい。施設は、例えば、オフィスビル、劇場、映画館、公会堂、遊技場、複合施設、飲食店、百貨店、学校、ホテル、旅館、病院、老人ホーム、幼稚園、図書館、博物館、美術館、地下街、駅、又は空港等の、非住宅でもよい。また施設は、非住宅以外に、戸建住宅又はマンション（集合住宅）等の、住宅でもよい。
【００１１】
気流環境システム１は、放出口５と、反射部３と、を備えている。放出口５は、少なくとも特定の方向Ａ１に沿って流れる空気流を、環境空間１００に放出する。反射部３は、特定の方向Ａ１において放出口５と対向するように配置され、特定の方向Ａ１に沿って流れる空気流が当たる。ここでは一例として、「特定の方向Ａ１」は、鉛直上向きであることを想定する。したがって、反射部３は、放出口５の真上に配置される。そして反射部３は、環境空間１００において、当たった空気流を放出口５の側へ還流させるように構成される（図１の還流方向Ａ２参照）。
【００１２】
この構成によれば、特定の方向Ａ１に沿って流れる空気流が環境空間１００に放出され、同じ環境空間１００において、反射部３に当たった空気流が放出口５の側へ還流される。そのため、特許文献１に記載される空気清浄装置のように本体部の側に戻る空気流の流路が柄部によって環境空間から隔離されている場合に比べて、環境空間１００内に居る人（ユーザ）にとっては、環境空間１００に形成される気流を体感し易くなる。したがって、環境空間１００に形成される気流の体感性の向上を図ることができる。
【００１３】
（２）詳細
以下、本実施形態に係る気流環境システム１の全体構成について、図１〜図４を参照しながら詳しく説明する。
【００１４】
（２．１）全体構成
気流環境システム１は、上述の通り、例えば施設内における環境空間１００（図１参照）に気流を形成するように構成されている。気流環境システム１は、図１に示すように、送風システム２と反射部３とを備えている。
【００１５】
（２．２）送風システム
送風システム２は、図３に示すように、送風装置４（ファン部）、投光部Ｅ１、スピーカ部Ｆ１、機能部Ｇ１、制御ユニットＨ１、操作部Ｊ１、及び筐体７等を有している。
【００１６】
筐体７は、送風装置４、投光部Ｅ１、スピーカ部Ｆ１、機能部Ｇ１、制御ユニットＨ１、及び操作部Ｊ１等を、その内部に収容、又は保持するように構成される。具体的には、筐体７は、図１に示すように、甲板７０と、支柱７１と、放出部７２と、を有しており、全体として、テーブルとしても機能するように構成されている。筐体７は、環境空間１００内の床面１０１上に設置される。
【００１７】
甲板７０は、円形の板状に形成されている。甲板７０は、その中央部において、厚み方向に貫通する円形状の孔を有している。支柱７１は、中空の円錐台形状に形成されている。送風装置４及び制御ユニットＨ１は、支柱７１内に収容されている。支柱７１の上面は、開放されており、甲板７０は、支柱７１の開放された上面を塞ぐように支柱７１の上端に取り付けられている。また支柱７１は、図１に示すように、その周壁において、吸気口６を有している。吸気口６は、例えば、上下方向に長尺であるスリット状の複数の孔から構成される。言い換えると、気流環境システム１は、環境空間１００に繋がる吸気口６を、筐体７に備えている。甲板７０及び支柱７１の材料は、特に限定されないが、筐体７がテーブルとして機能できる程度の寸法、及び耐久性を有することが望ましい。支柱７１の底には電源コードが露出しており、電源コードのプラグが、例えば床面１０１のフロアコンセント等に接続されて、送風装置４、投光部Ｅ１、スピーカ部Ｆ１、及び機能部Ｇ１等を駆動するための動作電源が供給され得る。支柱７１の底には、筐体７を容易に移動できるようにキャスターが設けられてもよい。
【００１８】
放出部７２は、上下の両端が開放された円筒形状に形成されている。放出部７２は、その下端の周縁部が甲板７０の中央部にある孔の縁内に収まるように取り付けられている。放出部７２の上面には、異物等の侵入を防ぐために、細長い複数の羽根が等間隔に並ぶように構成された保護カバー７３で覆われている（図２参照）。投光部Ｅ１、スピーカ部Ｆ１、及び機能部Ｇ１は、放出部７２又は支柱７１内に収容されている。放出部７２の開放された上面が、少なくとも特定の方向Ａ１に沿って流れる空気流を環境空間１００に放出する放出口５に相当する。言い換えると、気流環境システム１は、放出口５を、筐体７に備えている。放出部７２の材料は、特に限定されないが、放出部７２内には投光部Ｅ１が収容されるため、放熱性の高い材料であることが望ましい。
【００１９】
甲板７０又は放出部７２には、外部（ユーザ）からの操作入力を受け付ける操作部Ｊ１が設置されている。ユーザは、操作部Ｊ１への操作により、送風システム２の電源をオン、オフ可能となっている。制御ユニットＨ１は、操作部Ｊ１にて電源をオンする操作を受け付けると、送風装置４の駆動を開始する。操作部Ｊ１は、リモートコントローラでもよく、その場合、甲板７０又は放出部７２には、操作部Ｊ１から出射される赤外線を受光する受光部が設けられてもよい。
【００２０】
送風装置４は、制御ユニットＨ１の制御により、特定の方向Ａ１（ここでは鉛直上向き）に沿って流れる空気流を発生させて、放出口５に送るように構成される。送風装置４は、例えば、旋回成分に比べて直進的な成分を多く含む空気流を発生するシロッコファンである。送風装置４は、環境空間１００内の空気を吸気口６から吸い込み、特定の方向Ａ１に沿って流れる空気流を発生させる。送風装置４は、シロッコファンに限定されず、プロペラファンでもよい。送風装置４は、その正面を上方に向けて支柱７１内に収容されており、送風装置４の正面に配置されたダクト７４（図２参照）を介して、放出口５に繋がっている。ダクト７４は、上下の両端が開放された円筒状に形成されている。要するに、送風装置４で発生した直進的な成分を多く含む空気流は、そのまま特定の方向Ａ１（ここでは鉛直上向き）に沿って流れる空気流として、放出口５から放出され得る。
【００２１】
送風装置４は、例えば、インバータ制御により、モータの回転速度を調整して風量を適宜に変更可能であってもよい。例えば、操作部Ｊ１には、風量調節用のボリュームが設けられていて、気流環境システム１の設置現場、すなわち環境空間１００において、ユーザが送風装置４の風量を適宜に調節できてもよい。また制御ユニットＨ１が、自動的に送風装置４の風量を周期的に変化させてもよい。
【００２２】
制御ユニットＨ１は、送風装置４を制御する機能を有している。制御ユニットＨ１は、例えば、プロセッサ及びメモリを有するコンピュータシステムを有している。そして、プロセッサがメモリに格納されているプログラムを実行することにより、コンピュータシステムが制御ユニットＨ１として機能する。プロセッサが実行するプログラムは、ここではコンピュータシステムのメモリに予め記録されているが、メモリカード等の記録媒体に記録されて提供されてもよいし、インターネット等の電気通信回線を通じて提供されてもよい。
【００２３】
投光部Ｅ１は、反射部３の側に向けて光を照射するように構成される。投光部Ｅ１は、光源として、例えば１又は複数のＬＥＤ（Light Emitting diode）を含む。また投光部Ｅ１は、光源を覆う透光性のカバー、電源回路、点灯回路及び制御回路等を含む。電源回路、点灯回路及び制御回路のうち少なくとも一部の機能が、制御ユニットＨ１に集約されてもよい。投光部Ｅ１の稼働は、制御ユニットＨ１の制御下で、送風装置４の稼働に連動するように制御されてもよい。光源の発光色及び色温度等は、特に限定されない。また投光部Ｅ１は、一般照明に限らず、演出照明を提供するものでもよい。
【００２４】
投光部Ｅ１の光源は、保護カバー７３の窓部７３０（図２参照）と対向するように放出部７２内に収容され、投光部Ｅ１の光源から出射した光は、窓部７３０を介して、反射部３に向けて照射される。すなわち、投光部Ｅ１の光は、空気流と同様に、放出口５から上方に放出され得る。投光部Ｅ１の点灯、調光、及び消灯は、例えば、操作部Ｊ１への操作にて実行可能である。投光部Ｅ１が設けられていることで、環境空間１００に対して、気流に加えて、光（明るさ）を提供できる。
【００２５】
スピーカ部Ｆ１は、反射部３の側に向けて、音楽等の音を鳴らすように構成される。スピーカ部Ｆ１は、スピーカＦ１０（図２参照）、電源回路、音響回路、及び制御回路等を含む。電源回路、音響回路、及び制御回路のうち少なくとも一部の機能が、制御ユニットＨ１に集約されてもよい。スピーカ部Ｆ１の稼働は、制御ユニットＨ１の制御下で、送風装置４の稼働に連動するように制御されてもよい。スピーカＦ１０は、その正面を上方に向けて、保護カバー７３と対向するように配置される。したがって、スピーカＦ１０から出力される音は、空気流と同様に、放出口５から上方に放出され得る。
【００２６】
ここではスピーカ部Ｆ１は、一例として、超音波を用いて指向性を持たせる、いわゆるパラメトリック・スピーカを想定する。スピーカ部Ｆ１から出力される音の一部は、反射部３で反射され得る。スピーカ部Ｆ１がパラメトリック・スピーカであることで、環境空間１００において、特に反射部３の真下等の特定の狭い範囲内に居る人に音を提供する。スピーカ部Ｆ１の電源のオン、オフ、及び音量調整等は、例えば、操作部Ｊ１への操作にて実行可能である。スピーカ部Ｆ１が設けられていることで、環境空間１００に対して、気流に加えて、音（音響）を提供できる。
【００２７】
機能部Ｇ１は、放出口５から環境空間１００に放出する空気流に対して、付加要素を付与するように構成される。付加要素は、香り、空気浄化、及び温度変化のうちの少なくとも１つを含む。
【００２８】
付加要素が、香りを含む場合、機能部Ｇ１は、例えば、芳香剤を含む香り提示装置を有する。香り提示装置は、放出部７２内に収容される。芳香剤から気化した香りは、送風装置４からダクト７４を通る空気流に混ざり得る。その結果、環境空間１００に居る人（ユーザ）に、良質な香りの空気を提供できる。
【００２９】
付加要素が、空気浄化を含む場合、機能部Ｇ１は、例えば、空気清浄装置を有する。空気清浄装置は、支柱７１内に収容される。空気清浄装置は、吸気口６から吸い込まれた空気中の花粉等の微粒子を集塵する集塵フィルタ、及び脱臭用のフィルタ等を有する。空気清浄装置で浄化された空気は、送風装置４にて空気流として放出口５から上方に放出され得る。その結果、環境空間１００に居る人（ユーザ）に、浄化された空気を提供できる。
【００３０】
また付加要素が、空気浄化を含む場合、機能部Ｇ１は、例えば、空間除菌脱臭機を有してもよい。空間除菌脱臭機は、支柱７１内に収容される。空間除菌脱臭機は、次亜塩素酸を生成して、送風装置４で発生した空気流に混入するように構成される。次亜塩素酸を含んだ空気流は、放出口５から上方に放出されて、環境空間１００を除菌する。その結果、環境空間１００に居る人（ユーザ）に、浄化された空気を提供できる。
【００３１】
付加要素が、温度変化を含む場合、機能部Ｇ１は、例えば、空気調和装置を有する。空気調和装置は、コンプレッサを有し、空気調和装置にて生成された冷気又は暖気が、送風装置４にて空気流として放出口５から上方に放出され得る。その結果、環境空間１００に居る人（ユーザ）に、快適な温度の空気を提供できる。
【００３２】
機能部Ｇ１が上述した空気清浄装置、空間除菌脱臭機及び空気調和装置を有する場合、それらの電源のオン、オフ、及び各種パラメータの調整等は、例えば、操作部Ｊ１への操作にて実行可能である。なお、制御ユニットＨ１が、機能部Ｇ１に関する制御を集中的に行なってもよい。機能部Ｇ１の稼働は、制御ユニットＨ１の制御下で、送風装置４の稼働に連動するように制御されてもよい。
【００３３】
このように機能部Ｇ１が設けられていることで、空気流に対して、付加要素を付与できる。
【００３４】
（２．３）反射部
反射部３は、特定の方向Ａ１において放出口５と対向するように配置される。反射部３は、放出口５から放出された特定の方向Ａ１に沿って流れる空気流が当たるように構成される。また反射部３は、環境空間１００において、当たった空気流を放出口５の側へ還流させるように構成される。
【００３５】
以下、反射部３の構成について詳しく説明する。反射部３は、図１に示すように、本体部３０と、支持部３３と、取付部３５と、を有している。
【００３６】
本体部３０は、下面が開放された略傘状（より具体的には湾曲した椀状）に形成されている。本体部３０は、一例として、布地と、布地を傘状に維持する複数の骨部とによって構成されることを想定するが、特に限定されない。本体部３０は、合成樹脂の成形品でもよいし、金属の成形品でもよい。なお、スピーカ部Ｆ１から出力される音の音響特性を考慮した材料が望ましく、例えば音響効果を高める場合、吸音性の低い材料が用いられる。
【００３７】
本体部３０は、図４に示すように、放出口５と対向する内側の曲面３００において、第１領域３１と、第２領域３２と、を有している。第１領域３１は、曲面３００の頂点を含む中心領域であり、特定の方向Ａ１に沿って流れる空気流が当たる領域である。第２領域３２は、第１領域３１の周囲にある。言い換えると、曲面３００を正面から（下側から）見たときに、第２領域３２は、ドーナツ状の領域である。第２領域３２は、第１領域３１で当たった空気流が沿うように流れて放出口５の側へ還流させる。本実施形態の本体部３０では、第２領域３２は、特定の方向Ａ１と直交する方向（水平方向）に沿って第１領域３１から離れるほど、放出口５の側へ近づくように湾曲している。曲面３００の色は、特に限定されないが、投光部Ｅ１から放射される光の反射特性を考慮した色が望ましい。
【００３８】
支持部３３は、天井面の側から本体部３０を吊るすための部位である。支持部３３は、上下方向に長尺の、棒状に形成されている。支持部３３は、紐状に形成されてもよい。支持部３３の第１端（図１では下端）は、本体部３０の外側の頂点に取り付けられ、支持部３３の第２端（図１では上端）には、取付部３５が設けられている。
【００３９】
取付部３５は、配線ダクト２００に対して着脱可能に取り付けられるように構成される。配線ダクト２００は、レール状に形成されており、施設の天井等に固定されている。配線ダクト２００は、例えば照明用のダクトレールでもよい。配線ダクト２００は、いわゆるリップ溝を有したダクト本体を備える。取付部３５は、例えば、Ｔ字状に突出した端子板を有している。取付部３５は、端子板を配線ダクト２００のリップ溝に挿入した後に、取付部３５の軸を中心として約９０度回転させることで端子板がリップ溝に係止されて、配線ダクト２００に対して抜け止めされる。取付部３５が設けられていることで、反射部３の設置に関する施工性が向上される。
【００４０】
このように本実施形態の気流環境システム１によれば、反射部３が、環境空間１００において、当たった空気流を放出口５の側へ還流させるように構成されるため、環境空間１００に形成される気流の体感性の向上を図ることができる。また反射部３が、第１領域３１と第２領域３２とを有しているため、第１領域３１を中心として放出口５の側へ還流される空気流の層が形成され易くなり、当該層によって環境空間１００が２つの空間に区分けされる可能性が高くなる。よって、気流の体感性が更に向上される。
【００４１】
ところで、気流環境システム１は、図１に示すように、放出口５の側に向けて光を照射する照明部Ｅ２を更に備えてもよい。照明部Ｅ２は、反射部３における本体部３０の第１領域３１に配置される。照明部Ｅ２は、光源として、例えば１又は複数のＬＥＤを含む。また照明部Ｅ２は、光源を覆う透光性のカバー、電源回路、点灯回路及び制御回路等を含む。照明部Ｅ２の点灯、調光、及び消灯は、例えば、照明部Ｅ２に備え付けられた操作部にて実行可能である。光源の発光色及び色温度等は、特に限定されない。また照明部Ｅ２は、一般照明に限らず、演出照明を提供するものでもよい。
【００４２】
そして、照明部Ｅ２の動作電源は、配線ダクト２００から供給されてもよい。取付部３５の端子板は、配線ダクト２００のリップ溝に係止されることで、配線ダクト２００の導体部との電気的な接続も達成されてもよい。支持部３３内には電源コードが内装されていて、取付部３５の端子板は、当該電源コードを介して、照明部Ｅ２の電源回路と電気的に接続されていてもよい。照明部Ｅ２の電源回路は、支持部３３内の電源コード及び取付部３５の端子板を介して、配線ダクト２００の導体部から、例えば商用の交流電源を受け取り、ＬＥＤ点灯用の直流電力に変換してもよい。照明部Ｅ２が設けられていることで、環境空間１００に対して、気流に加えて、光（明るさ）を提供できる。
【００４３】
（２．４）環境空間内の空気流
以下、図４を参照しながら気流環境システム１によって環境空間１００内に形成され得る空気流について説明する。
【００４４】
図４は、気流環境システム１における放出口５から放出された空気流と、その空気流が反射部３に当たり放出口５の側へ還流する様子（流線）を示す、シミュレーション結果である。なお、図４の気流環境システム１は、図１の気流環境システム１とやや異なり、筐体７及び支持部３３等は省略されて、かつ模式化されている。また図４の放出口５は、図１の放出口５よりも、やや高い位置（反射部３に近い位置）にある。
【００４５】
気流環境システム１が稼働することで、図４に示すように、環境空間１００には、第１流路Ｐ１と、第２流路Ｐ２と、が形成される。すなわち、放出口５から放出された空気流が、第１流路Ｐ１を通じて反射部３の第１領域３１に向かって流れる。そして、反射部３の第１領域３１に当たり反射部３の第２領域３２に沿って外側に拡がった空気流が、第２流路Ｐ２を通じて放出口５の側（鉛直下向き）へ還流する。特定の方向Ａ１に沿って見た時に、第２流路Ｐ２は、第１流路Ｐ１を囲むように形成されることになる。
【００４６】
したがって、例えば、第１流路Ｐ１の側に近づく人（ユーザ）にとっては、第２流路Ｐ２を通じて還流する空気流の層に触れる可能性が高くなる。よって、気流の体感性が更に向上される。特に、第２流路Ｐ２を通じて還流する空気流の速度は、反射部３にて減衰されて、放出口５から放出された空気流の速度よりも小さくなり得る。したがって、逆に、放出口５から放出された空気流が第２流路Ｐ２を通って反射部３に向い、第１流路Ｐ１を通って放出口５の側へ還流する場合に比べて、第１流路Ｐ１の側に近づく人（ユーザ）に不快感を与える可能性を低減できる。
【００４７】
また本実施形態では、放出口５と反射部３とは、特定の方向Ａ１において、空隙の中空部９を介して互いに離間している。そして、放出口５から放出される空気流（往きの空気流）、及び放出口５の側へ還流する空気流（帰りの空気流）は、中空部９を流れることになる。言い換えると、放出口５から反射部３までの間には、第１流路Ｐ１と第２流路Ｐ２とを互いに隔離する障害物（壁等）が存在しない。そのため、環境空間１００内に居る人（ユーザ）に開放感を与える可能性を高めることができる。
【００４８】
また本実施形態では送風装置４は、反射部３から放出口５の側へ還流された空気流を、吸気口６から吸い込み、特定の方向Ａ１に沿って流れる空気流を発生させるため、環境空間１００に形成される気流の循環をより安定的に行うことができる。特に吸気口６が放出口５よりも低い位置に配置されているため、第２流路Ｐ２が、上下方向において比較的距離の長い流路として形成され得る。
【００４９】
ところで、本実施形態では、第１流路Ｐ１と第２流路Ｐ２との間には、空気流の流速が比較的小さい中間層Ｘ１が形成されるように、反射部３の第２領域３２の形状、放出口５から反射部３の第１領域３１までの距離等が規定されている。気流環境システム１は、環境空間１００内に、中間層Ｘ１を形成することで、気流環境システム１を利用するユーザにとっては、第２流路Ｐ２を通過した後に中間層Ｘ１内に進入することで、空気流により隔てられた中間層Ｘ１の存在を体感できる。中間層Ｘ１は、物理的な仕切壁で仕切られていないにも関わらず、あたかも外部と遮断された環境として提供される。ユーザは、空気流の緩やかな中間層Ｘ１を、リラクゼーションの場として体感できる。また物理的な仕切壁で仕切られる場合に比べて、コストの低減を図ることができ、ユーザにとっては中間層Ｘ１内に容易に進入できて利便性が高い。
【００５０】
また本実施形態の気流環境システム１では、放出口５から放出された空気流が第２流路Ｐ２を通じて放出口５の側（鉛直下向き）へ還流する際に、その空気流の一部が、吸気口６から吸い込まれて、全体として循環し得る構成となっている。そのため、機能部Ｇ１における付加要素に関する使用量の削減等が期待できる。
【００５１】
付加要素が、例えば、空気浄化であれば、空気清浄装置で浄化された空気が、放出口５から放出された後、還流して再び吸気口６から吸い込まれる可能性が高くなる。結果的に、集塵フィルタ、及び脱臭用のフィルタ等の延命につながる。
【００５２】
また付加要素が、例えば、温度変化であれば、空気調和装置で生成された冷気（又は暖気）が、放出口５から放出された後、還流して再び吸気口６から吸い込まれる可能性が高くなる。結果的に、空気調和装置等の延命、及び空気調和装置による消費電力の削減につながる。
【００５３】
また本実施形態の気流環境システム１では、放出口５から放出された空気流が第２流路Ｐ２を通じて放出口５の側（鉛直下向き）へ還流する際に、その空気流が、エアカーテンとして機能し得るものである。特に、その還流する空気流は、エアカーテンより内側の空間内の空気流に混入しにくい形態で放出され得る。結果として、例えば、放出口５から放出された空気流に含まれる機能部Ｇ１による付加要素が、エアカーテンによって閉じ込められることになる。したがって、付加要素が、エアカーテンの外側に漏れ出すことが抑制されることが期待できる。要するに、エアカーテンより内側の空間が付加要素で満たされている状況を、持続させやすくなる。
【００５４】
（３）変形例
上記実施形態は、本開示の様々な実施形態の一つに過ぎない。上記実施形態は、本開示の目的を達成できれば、設計等に応じて種々の変更が可能である。以下、上記実施形態の変形例を列挙する。以下に説明する変形例は、適宜組み合わせて適用可能である。以下では、上記実施形態を「基本例」と呼ぶこともある。
【００５５】
（３．１）変形例１
以下、変形例１の気流環境システム１Ａについて、図５を参照しながら説明する。ただし、基本例の気流環境システム１と実質的に共通する構成要素については同じ参照符号を付して、適宜にその説明を省略する。
【００５６】
本開示の発明者らは、鋭意検証の結果、放出口５の高さ位置（放出口５から反射部３までの距離）、及び送風装置４の風量、風速よりも、反射部３の形状が、放出口５の側へ還流する空気流の形成に大きく影響し得る要因であることを見つけ出した。
【００５７】
変形例１の気流環境システム１Ａは、基本例の反射部３と形状の異なる反射部３Ａを備える点で、基本例の気流環境システム１と相違する。なお、図５の放出口５は、基本例における図１の放出口５と概ね同じ高さ位置にある。
【００５８】
変形例１の反射部３Ａは、本体部３０Ａと、支持部３３と、取付部３５と、を有している（図５では支持部３３及び取付部３５を省略）。本体部３０Ａは、下面が開放された略傘状に形成されている。ただし、基本例の本体部３０は、椀状に湾曲した曲面３００を有している一方で、変形例１の本体部３０Ａは、扁平な円錐状の曲面３００Ａを有している。すなわち、曲面３００Ａは、円錐面である。
【００５９】
本体部３０Ａは、図５に示すように、放出口５と対向する内側の曲面３００Ａにおいて、第１領域３１と、第２領域３２と、を有している。第１領域３１は、曲面３００Ａの頂点を含む中心領域であり、特定の方向Ａ１に沿って流れる空気流が当たる領域である。第２領域３２は、第１領域３１の周囲にある。第２領域３２は、第１領域３１で当たった空気流が沿うように流れて放出口５の側へ還流させる。本実施形態の本体部３０Ａでは、第２領域３２は、水平方向に沿って第１領域３１から離れるほど、放出口５の側へ近づくように真っ直ぐ傾斜している。
【００６０】
図５は、変形例１の気流環境システム１Ａにおける放出口５から放出された空気流と、その空気流が反射部３Ａに当たり放出口５の側へ還流する様子（流線）を示す、シミュレーション結果である。
【００６１】
気流環境システム１Ａが稼働することで、図５に示すように、環境空間１００には、第１流路Ｐ１と、第２流路Ｐ２と、が形成される。すなわち、放出口５から放出された空気流が、第１流路Ｐ１を通じて反射部３Ａの第１領域３１に向かって流れる。そして、反射部３Ａの第１領域３１に当たり反射部３Ａの第２領域３２に沿って外側に拡がった空気流が、第２流路Ｐ２を通じて放出口５の側（鉛直下向き）へ還流する。
【００６２】
ここで変形例１の第２流路Ｐ２は、基本例の第２流路Ｐ２とは異なり、送風システム２から離れる方向に拡散されている。したがって、変形例１では、中間層Ｘ１の体積を基本例よりも広く確保することができる。その結果、より多くのユーザが中間層Ｘ１を利用できる可能性が高くなる。ただし、放出口５から放出された空気流が、再び吸気口６に戻る「循環」の面で言えば、変形例１は、基本例よりも循環性が損なわれる可能性がある。基本例のように、第２領域３２が第１領域３１から離れるほど放出口５の側へ近づくように湾曲している方が、放出口５の側へ還流される空気流の層が更に形成され易くなる。そのため、気流環境システム１Ａを利用するユーザにとって気流の体感性は、基本例の方が変形例１よりも高い。
【００６３】
また変形例１の別の例（気流環境システム１Ｂ）は、図６に示すように、反射部３Ｂを備えてもよい。反射部３Ｂの本体部３０Ｂは、基本例の反射部３と同様に、椀状に湾曲した曲面３００Ｂを有している。ただし、この曲面３００Ｂは、その開口する縁部における接線方向Ｄ１が鉛直方向と概ね平行である点で、基本例の曲面３００と異なる。すなわち、基本例の曲面３００の開口する縁部における接線方向は、鉛直方向に対して、下方に行くほど外方に拡がるように傾斜している。
【００６４】
図６の反射部３Ｂは、基本例及び図５の例よりも、循環性は高い。そのため、放出口５の側へ還流される空気流の層が更に形成され易く、気流の体感性が向上され得る。ただし、中間層Ｘ１の体積が小さくなり易く、ユーザが空気流により隔てられた中間層Ｘ１の存在を体感できる可能性が低減する。なお、送風装置４の風量を増加させたり放出口５の高さ位置を調整したりすることで、中間層Ｘ１の体積を増加させることは可能である。
【００６５】
変形例１の更に別の例（気流環境システム１Ｃ）は、図７に示すように、反射部３Ｃを備えてもよい。反射部３Ｃの本体部３０Ｃは、基本例の反射部３と同様に、椀状に湾曲した曲面３００Ｃを有している。ただし、この曲面３００Ｃは、その開口する縁部における接線方向Ｄ２が、下方に行くほど内方に狭まるように傾斜している点で、基本例の曲面３００と異なる。
【００６６】
図７の反射部３Ｃは、図６の例よりも、循環性は更に高い。そのため、放出口５の側へ還流される空気流の層が更に形成され易く、気流の体感性が向上され得る。ただし、中間層Ｘ１の体積が更に小さくなり易い。なお、送風装置４の風量を増加させたり放出口５の高さ位置を調整したりすることで、中間層Ｘ１の体積を増加させることは可能である。
【００６７】
変形例１の更に別の例（気流環境システム１Ｄ）は、図８に示すように、反射部３Ｄを備えてもよい。反射部３Ｄの本体部３０Ｄは、基本例の反射部３と同様に、椀状に湾曲した曲面３００Ｄを有している。ただし、この曲面３００Ｄは、その開口する開口面から頂点までの距離（深さＷ１）が、基本例の曲面３００の深さよりも深い点で異なる。なお、曲面３００Ｄの開口する縁部における接線方向Ｄ３は、鉛直方向と概ね平行である。
【００６８】
図８の反射部３Ｄも、循環性は比較的高い。そのため、放出口５の側へ還流される空気流の層が更に形成され易く、気流の体感性が向上され得る。ただし、中間層Ｘ１の体積が小さくなり易い。なお、送風装置４の風量を増加させたり放出口５の高さ位置を調整したりすることで、中間層Ｘ１の体積を増加させることは可能である。
【００６９】
（３．２）変形例２
以下、変形例２の気流環境システム１Ｅについて、図９を参照しながら説明する。ただし、基本例の気流環境システム１と実質的に共通する構成要素については同じ参照符号を付して、適宜にその説明を省略する。
【００７０】
基本例の気流環境システム１では、放出口５が、テーブルとしても機能するように構成された筐体７に設けられている。変形例２の気流環境システム１Ｅは、放出口５が床面１０１に直接設けられている点で、基本例の気流環境システム１と相違する。
【００７１】
また基本例の気流環境システム１では、反射部３が、吊り下げ型の構造を有している。変形例２の気流環境システム１Ｅは、埋め込み型の構造を有した反射部３Ｅを備える点で、基本例の気流環境システム１と相違する。
【００７２】
変形例２の放出口５は、例えば、床材を厚み方向に貫通する円形の貫通孔として構成される。この場合、送風装置４、投光部Ｅ１、スピーカ部Ｆ１、機能部Ｇ１及び制御ユニットＨ１等は、床下に設置される。操作部Ｊ１は、放出口５の近傍に設置されてもよいし、壁面１５２に設置されてもよい。
【００７３】
変形例２の反射部３Ｅは、例えば、システム天井１５０におけるスクエアタイプの複数の天井材１５１のうちの１つに、埋め込み配置される。反射部３Ｅは、複数（例えば４枚）の天井材１５１にわたって埋め込み配置されてもよい。反射部３Ｅは、例えば、天井裏における天井スラブの吊りボルトに直接固定される。
【００７４】
この変形例２によれば、放出口５が、例えば専用の筐体の一面に配置される場合に比べて、環境空間１００の美観が損なわれる可能性を低減しつつ、利便性が向上され得る。また部品（床と筐体）の共通化を図れる。
【００７５】
変形例２の別の例として、天井材１５１そのものが、傘状に凹んだ曲面３００を有する反射部３Ｅでもよい。
【００７６】
変形例２の更に別の例として、互いに対応する１つの反射部３と１つの放出口５とを１組として、気流環境システム１Ｅは、これらを複数組備えてもよい。具体的には、システム天井１５０に、複数の反射部３Ｅが埋め込み配置され、複数の反射部３Ｅと一対一で対応するように、複数の放出口５が床面１０１に設けられてもよい。この場合、送風装置４及び制御ユニットＨ１の数は、必ずしも放出口５の数と同じでなくてもよい。例えば、１つの送風装置４で発生した空気流が、床下に設置されているダクトを通り、複数の放出口５から放出されてもよい。また１つの制御ユニットＨ１が、施設内の管理室等に設置されて、複数の送風装置４を、一括集中管理できるように構成されてもよい。なお、基本例においても同様に、気流環境システム１は、１つの反射部３と１つの放出口５とを１組として、これらを複数組備えて、１つの制御ユニットＨ１が、複数の送風装置４を、一括集中管理できるように構成されてもよい。
【００７７】
（３．３）変形例３
以下、変形例３の気流環境システム１Ｆについて、図１０を参照しながら説明する。ただし、基本例の気流環境システム１と実質的に共通する構成要素については同じ参照符号を付して、適宜にその説明を省略する。
【００７８】
図１０は、変形例３の気流環境システム１Ｆの外観斜視図である。変形例３の気流環境システム１Ｆは、ホテルのロビー等に設置されることを想定されて、利便性及びデザイン性を考慮した構造を有している。気流環境システム１Ｆの送風システム２の筐体７Ｆは、長テーブルとしても機能するように構成される。また筐体７Ｆは、瓶状の置物７５を有し、その開放された上面が、放出口５となる。置物７５は、底に開口を有し、長テーブル内に収容された送風装置４の空気流が、置物７５の当該開口を通じて、放出口５から上方に放出さ得る。また１又は複数のロビーソファ３０１が、筐体７Ｆを囲むように設置されている。
【００７９】
変形例３の反射部３Ｆは、下面が開放された円筒形状の本体部３０Ｆを有している。反射部３Ｆは、基本例の支持部３３を有しておらず、本体部３０Ｆが天井面に直接取り付けされている。ロビーソファ３０１は、本体部３０Ｆの開口面の投影領域内に概ね収まるように配置される。ロビーソファ３０１の数や形状に応じて、様々な寸法形状を有した反射部３Ｆが設置される。
【００８０】
このようにホテルのロビー等において、気流環境システム１Ｆにより空気流を提供することで、環境空間１００において、物理的な仕切壁で遮らなくもて周囲とは異なる局所的な空間の提供を実現できる。更に空気流に、光、音、及び付加要素（香り等）を適宜に組み合わせることで、更に快適なリラクゼーションの場として提供できる。
【００８１】
図１１は、変形例３の別の例（気流環境システム１Ｇ）の外観斜視図である。図１１の気流環境システム１Ｇは、病院内の待合室等に設置されることを想定されて、利便性及び除菌性を考慮した構造を有している。気流環境システム１Ｇの送風システム２は、ポール状の筐体７Ｇを有している。放出口５は、ポール状の筐体７Ｇの上面に形成されている。ポール状の筐体７Ｇ内に収容された送風装置４の空気流は、放出口５から上方に放出さ得る。またドーナツ状の待合椅子３０２が、筐体７Ｇの周囲を囲むように配置される。
【００８２】
図１１の反射部３Ｇは、下面が開放された傘状の本体部３０Ｇを有している。待合椅子３０２は、本体部３０Ｇの開口面の投影領域内に概ね収まるように配置される。図１１の反射部３Ｇは、出来るだけ多くのユーザ（患者）が利用できるように、比較的大きな寸法を有している。
【００８３】
このように病院内の待合室等において、気流環境システム１Ｇにより空気流を提供することで、環境空間１００において、物理的な仕切壁で遮らなくもて周囲とは異なる局所的な空間の提供を実現できる。また第２流路Ｐ２を通る空気流が、バリア機能として効果を奏し、院内感染のリスクが低減され得る。更に空気流に、付加要素（空気浄化：次亜塩素酸等）を適宜に組み合わせることで、更にクリーンな場として提供できる。
【００８４】
（３．４）変形例４
以下、変形例４の気流環境システム１Ｈについて、図１２を参照しながら説明する。ただし、基本例の気流環境システム１と実質的に共通する構成要素については同じ参照符号を付して、適宜にその説明を省略する。
【００８５】
変形例４の気流環境システム１Ｈは、放出口５が椅子３０３を構成する部材の一面に配置される点で、基本例の気流環境システム１と相違する。なお、気流環境システム１Ｈの反射部３は、基本例と共通のため説明を省略する。
【００８６】
変形例４の気流環境システム１Ｈは、椅子３０３として機能する筐体７Ｈを有している。筐体７Ｈは、中空の略直方体形状の座部７６と、座部７６の上面（座面７６０）の中央に設けられた角柱状の背もたれ７７とを有している。送風装置４等は、座部７６又は背もたれ７７内に収容されている。
【００８７】
放出口５は、背もたれ７７の上端面に設けられている。また吸気口６は、座部７６の座面７６０に設けられている。具体的には、例えば複数の角材７６１が、所定の間隔を空けて並ぶように組み付けられて、隣接する角材７６１間の隙間が、吸気口６となる。
【００８８】
この変形例４によれば、放出口５が、例えば専用の筐体の一面に配置される場合に比べて、環境空間１００の美観が損なわれる可能性を低減しつつ、利便性が向上され得る。また部品（椅子と筐体）の共通化を図れる。
【００８９】
（３．５）変形例５
以下、変形例５の気流環境システム１Ｉについて、図１３を参照しながら説明する。ただし、基本例の気流環境システム１と実質的に共通する構成要素については同じ参照符号を付して、適宜にその説明を省略する。
【００９０】
変形例５の気流環境システム１Ｉは、ガイド部８を更に備える点で、基本例の気流環境システム１と相違する。
【００９１】
図１３は、変形例５の気流環境システム１Ｉの外観斜視図である。変形例５の気流環境システム１Ｉは、例えば、ホテルのロビー、病院、駅、又は、空港等の待合室に設置されることが想定される。
【００９２】
反射部３Ｈは、本体部３０と支持部３３とを有している。図１３では、反射部３Ｈの本体部３０を、一点鎖線のみで図示している。反射部３Ｈの本体部３０は、下面が開放された略傘状であり、基本例の反射部３の本体部３０と実質的に共通である。
【００９３】
反射部３Ｈの支持部３３は、基本例の反射部３の支持部３３と異なり、天井面の側から本体部３０を吊るすための部位ではなく、台座Ｂ１から突出して、本体部３０を支持している。つまり、反射部３Ｈの支持部３３は、傘（本体部３０）の柄部（軸）に相当する部位である。支持部３３の第１端（上端）は、本体部３０の内側の頂点に取り付けられ、支持部３３の第２端（下端）は、台座Ｂ１に固定されている。ただし、ここでは、反射部３Ｈの支持部３３は、ガイド部８によって実現されている。言い換えると、ガイド部８は、反射部３Ｈ（の本体部３０）を支持する。
【００９４】
気流環境システム１Ｉの送風システム２の筐体７Ｉは、（複数の）人が着座可能な台座Ｂ１を兼ねている。つまり、気流環境システム１Ｉは、台座Ｂ１を備えている。台座Ｂ１は、特定の方向Ａ１において扁平な円筒形状となっている。台座Ｂ１は、人が着座可能な椅子として機能する。台座Ｂ１の中心軸は、傘（本体部３０）の柄部に相当する支持部３３の中心軸に概ね一致する。台座Ｂ１（筐体７Ｉ）内には、送風装置４等が収容されている。吸気口６は、台座Ｂ１の外周面に配置されている（図１３では２か所について図示）。ここでは、傘状の反射部３Ｈの本体部３０の外径は、台座Ｂ１の外径よりも大きく設定されている。結果的に、反射部３Ｈに当たった空気流が還流しやすくしている。
【００９５】
ガイド部８は、特定の方向Ａ１に沿って反射部３Ｈへ流れる空気流をガイドするように構成される。ガイド部８は、台座Ｂ１に固定されている。ガイド部８は、環境空間１００を、特定の方向Ａ１の周方向Ｄ４に沿って２つ以上に分割する（１又は複数の）仕切部８０を有している。ここでは一例として、仕切部８０を合計４つ有して（図１３では３つのみ図示）、環境空間１００が４つに分割されている。各仕切部８０は、特定の方向Ａ１に沿って長尺の板状となっている。ここでは板状の４つの仕切部８０が、特定の方向Ａ１に沿って反射部３Ｈへ流れる空気流をガイドする。
【００９６】
そして、４つの仕切部８０は、台座Ｂ１から、特定の方向Ａ１に沿って突出している。ここでは４つの仕切部８０は、台座Ｂ１を上から見て、台座Ｂ１の上面の領域を台座Ｂ１の中心軸を中心に、四等分に分割するように配置される。すなわち、台座Ｂ１の上面の四等分された領域の各々は、中心角が約９０度の扇状である。ここでは一例として、扇状の各領域に人が一人着座できる程度に、台座Ｂ１の寸法設定がなされている。つまり、ここでは同時に四人が台座Ｂ１に着座できるように設定されている。ただし、同時に着座できる人数は四人に限定されない。
【００９７】
各仕切部８０の外側縁（中心軸とは反対側の縁）は、上下方向に沿って延びている中間縁８００と、中間縁８００の下部から連続する第１縁８０１と、中間縁８００の上部から連続する第２縁８０２と、第２縁８０２の先から連続する第３縁８０３とから構成される。第１縁８０１は、各仕切部８０の厚み方向に沿って見て、台座Ｂ１の上面に近づくほど台座Ｂ１の周縁に向かって拡がるように湾曲している。第２縁８０２は、上方に向かって凸となるように湾曲している。第３縁８０３は、反射部３Ｈの内面に沿って垂れ下がるように湾曲している。４つの仕切部８０は、各々の第３縁８０３で反射部３Ｈの内面と接触することで、傘状の反射部３Ｈを、安定的に保持する複数の骨部として機能している。
【００９８】
またガイド部８は、４つの仕切部８０の隣り合う２つの仕切部８０の間において、台座Ｂ１の上面から特定の方向Ａ１に沿って突出する背もたれ部８１を更に有している。背もたれ部８１は、台座Ｂ１の扇状の各領域に１つ配置されるように、合計４つ設けられている（図１３では２つのみ図示）。台座Ｂ１の扇状の各領域に着座した人は、背もたれ部８１を利用して、くつろぐことができる。
【００９９】
ところで、各背もたれ部８１は、長手方向の両端面が開放された、中空の筒状となっている。さらに各背もたれ部８１は、台座Ｂ１内における送風装置４の収容空間と連通している。そして、各背もたれ部８１の開放された上面が、放出口５となる。要するに、台座Ｂ１内の送風装置４の空気流が、各背もたれ部８１の中を通り、放出口５から上方に放出さ得る。したがって、送風装置４の空気流は、合計４か所の放出口５から上方に個別に放出されることになる。ここでは、共通する１つ送風装置４からの空気流が、４つの背もたれ部８１の入り口で分岐して４か所の放出口５から放出される。
【０１００】
この変形例５の気流環境システム１Ｉによれば、ガイド部８を備えることで、還流する空気流の安定性を更に向上できる。
【０１０１】
またガイド部８が仕切部８０を有しているため、仕切部８０によって分割された複数の空間の各々において個別に、気流の体感性の向上を図ることができる。さらに仕切部８０が台座Ｂ１から特定の方向Ａ１に沿って突出しているため、各人は、仕切部８０によって分割された各空間内で、台座Ｂ１に着座して気流を体感できる。またガイド部８が、反射部３Ｈを支持しているため、空気流をガイドするガイド部８とは別に反射部３Ｈを支持するための支持部材を設ける必要がなくなる。
【０１０２】
そして、この変形例５の気流環境システム１Ｉでは、各人は、台座Ｂ１の上面において、隣り合う２つの仕切部８０の間の領域に着座することで、２つの仕切部８０で囲まれた空間内で、対応する放出口５から放出される気流を体感できる。特に仕切部８０で仕切られていることで、横に着座する人と一定の距離が保たれ、また横の人からの視線を遮る可能性が高くなる。結果的に、気流環境システム１Ｉを利用する各人に、安心感を与えることができる。
【０１０３】
またこの変形例５の気流環境システム１Ｉでは、天井面の側から本体部３０を吊るすための部位が不要であり、例えば天井が吹き抜けのような空間でも、気流環境システム１Ｉの設置導入が容易となる。
【０１０４】
（３．６）変形例６
以下、変形例６の気流環境システム１Ｊについて、図１４を参照しながら説明する。ただし、基本例の気流環境システム１と実質的に共通する構成要素については同じ参照符号を付して、適宜にその説明を省略する。
【０１０５】
変形例６の気流環境システム１Ｊは、略半円筒状（かまぼこ状）となった本体部３０を有する反射部３Ｉを備える点で、基本例の気流環境システム１と相違する。
【０１０６】
図１４は、変形例６の気流環境システム１Ｊの外観斜視図である。変形例６の気流環境システム１Ｊは、例えば、複数の人が利用して学習をしたり仕事をしたりできるように複数（ここでは６つ）の椅子４０１及び作業机４０２（長机）が設置された作業空間に適用されることが想定される。
【０１０７】
変形例６の気流環境システム１Ｊの反射部３Ｉは、本体部３０と、１又は複数（ここでは一対）の支持部３３とを有している。本体部３０は、一方向に沿って長尺である。本体部３０は、その長手方向の両端及び下面が開放された、略半円筒状となっている。本体部３０の長手方向は、作業机４０２の長手方向に沿っている。言い換えると、略半円筒状の本体部３０の軸方向は、作業机４０２の長手方向に沿っている。本体部３０は、軸方向に沿って見て、天井面に向かって凸となるように円弧状に湾曲した板状の部位である。一対の支持部３３は、天井面の側から本体部３０を吊るすための部位である。
【０１０８】
気流環境システム１Ｊの送風システム２の筐体７Ｊは、作業机４０２を兼ねている。作業机４０２は、本体部３０の軸方向に沿って長尺の直方体状の基台４０３と、基台４０３の上に載置されている扁平な板状の天板４０４とを含む。各人は、椅子４０１に着座して、天板４０４の上にノートパソコン等を載せ置き、作業を遂行できる。
【０１０９】
作業机４０２の周囲には６つの椅子４０１が配置されている。具体的には、作業机４０２の幅方向における両側部のうちの一方である第１側部４０２Ａと対向するように、３つの椅子４０１が、本体部３０の軸方向に沿って並ぶ。同様に、作業机４０２の幅方向における両側部の他方である第２側部４０２Ｂと対向するように、残りの３つの椅子４０１が、本体部３０の軸方向に沿って並ぶ。作業机４０２（筐体７Ｊ）の基台４０３内には、送風装置４等が収容されている。吸気口６は、基台４０３の外周面に配置されている（図１３では２か所について図示）。ここでは、椅子４０１に着座した各人が還流する空気流によって包まれるように、略半円筒状の本体部３０の幅寸法（径寸法）が設定されている。
【０１１０】
気流環境システム１Ｊにおいては、放出口５は、天板４０４の中央部に設けられた開口により構成される。天板４０４の開口は、基台４０３内における送風装置４が収容されている収容空間と連通している。ここでは、天板４０４の開口から異物が侵入しないように、例えばメッシュ状の保護カバーで覆われていることが望ましい。
【０１１１】
この気流環境システム１Ｊでは、略半円筒状の反射部３Ｉに当たった空気流が還流しやすい構成を実現している。すなわち、放出口５から放出された空気流は、略半円筒状の本体部３０の内面に当たり、幅方向のおける両側（二手）に分かれるように還流することになる。したがって、椅子４０１に着座する各人は、気流を体感しながら作業を遂行できる。
【０１１２】
ところで、変形例６の別の例として、図１５に示すような、気流環境システム１Ｋが提供されてもよい。気流環境システム１Ｋでは、作業机４０２の幅方向における両側部の一方である第１側部４０２Ａと対向するように、３つの椅子４０１が、本体部３０の軸方向に沿って並ぶ。一方、作業机４０２の幅方向における両側部の他方である第２側部４０２Ｂは、建物等の造営材である壁４０５に近接した状態になっている。
【０１１３】
またこの気流環境システム１Ｋの反射部３Ｊは、上述した反射部３Ｉの本体部３０の、幅方向における一方の片側（図１４では右片側）のみとなった本体部３０を有している。
【０１１４】
この気流環境システム１Ｋでは、椅子４０１に着座する各人は、壁４０５を向く形態で作業を行うことになる。この構成においても、気流を体感しながら作業を遂行できる。特に、壁４０５が、変形例５で説明した「ガイド部８」として機能する。つまり、壁４０５が、特定の方向Ａ１に沿って反射部３Ｊへ流れる空気流をガイドし得る。結果的に、還流する空気流の安定性を更に向上できる。
【０１１５】
（３．７）その他の変形例
基本例における送風装置４、投光部Ｅ１、スピーカ部Ｆ１、及び機能部Ｇ１は、気流環境システム１において必須の構成要素ではなく、気流環境システム１は、これらのうち少なくとも１つを備えていなくてもよい。また基本例における吸気口６は、気流環境システム１において必須の構成要素ではなく、気流環境システム１は、吸気口６を備えていなくてもよい。
【０１１６】
基本例では、特定の方向Ａ１は、鉛直方向に平行であり、さらに鉛直上向きであるが、鉛直下向きでもよい。あるいは、特定の方向Ａ１は、鉛直方向と交差する方向でもよい。ただし、特定の方向Ａ１は、少なくとも鉛直方向に平行である方が、放出口５の側へ還流する空気流の形成を容易に行うことができる。
【０１１７】
基本例では、投光部Ｅ１及び照明部Ｅ２の両方が設けられているが、これらのうちのいずれか一方のみが設けられてもよい。また取付部３５が取り付けられる対象物は、基本例の配線ダクト２００以外にも、給電機能（導体部）を有さないレール部材でもよい。
【０１１８】
基本例では、反射部３は、支持部３３を介して、天井面の側から本体部３０を吊るすように構成されている。しかし、傘の柄部（軸）のように、支持部３３の第１端は、本体部３０の内側の頂点（第１領域３１の中心）に取り付けられ、支持部３３の第２端は、筐体７の甲板７０に固定されてもよい。
【０１１９】
あるいは支持部３３は、全体として略Ｊ字状に形成されてもよい。具体的には、支持部３３の第１端は、（基本例と同様に）本体部３０の外側の頂点に取り付けられ、支持部３３の中間部は、中空部９を迂回するように湾曲し、支持部３３の第２端は、床面１０１に固定されてもよい。
【０１２０】
基本例では、反射部３は、全体として傘形状であるが、その内側に曲面３００を有していればよく、例えば、全体としてブロック状に形成されて、その下面だけが曲面３００となるように凹んでいてもよい。
【０１２１】
基本例では、反射部３は、その内側に曲面３００を１つのみ有している。しかし、反射部３は、連続する複数の曲面３００を有してもよい。言い換えると、反射部３の内側において、放出口５に近づく方向に凸となるような変曲点が１又は複数存在してもよい。
【０１２２】
基本例では、気流環境システム１は、操作部Ｊ１を介して稼働するが、例えば、人感センサを備えて、人を検知すると、自動的に稼働するように構成されてもよい。
【０１２３】
基本例における反射部３の本体部３０は、傘が柄を中心に折り畳まれるように、萎めたり拡げたりできてもよい。要するに、本体部３０開口面積は、設置現場において適宜に可変であってもよい。
【０１２４】
（４）まとめ
以上説明したように、第１の態様に係る気流環境システム（１、１Ａ〜１Ｋ）は、放出口（５）と、反射部（３、３Ａ〜３Ｊ）と、を備える。放出口（５）は、少なくとも特定の方向（Ａ１）に沿って流れる空気流を、環境空間（１００）に放出する。反射部（３、３Ａ〜３Ｊ）は、特定の方向（Ａ１）において放出口（５）と対向するように配置され、特定の方向（Ａ１）に沿って流れる空気流が当たる。反射部（３、３Ａ〜３Ｊ）は、環境空間（１００）において、当たった空気流を放出口（５）の側へ還流させるように構成される。第１の態様によれば、環境空間（１００）に形成される気流の体感性の向上を図ることができる。
【０１２５】
第２の態様に係る気流環境システム（１、１Ａ〜１Ｋ）に関して、第１の態様において、反射部（３、３Ａ〜３Ｊ）は、第１領域（３１）と、第２領域（３２）と、を有することが好ましい。第１領域（３１）には、特定の方向（Ａ１）に沿って流れる空気流が当たる。第２領域（３２）は、第１領域（３１）の周囲にあり、第１領域（３１）で当たった空気流が沿うように流れて放出口（５）の側へ還流させる。第２の態様によれば、例えば第１領域（３１）を中心として放出口（５）の側へ還流される空気流の層が形成され易くなり、当該層によって環境空間（１００）が２つの空間に区分けされる可能性が高くなる。よって、気流の体感性が更に向上される。
【０１２６】
第３の態様に係る気流環境システム（１、１Ａ〜１Ｋ）に関して、第２の態様において、第２領域（３２）は、特定の方向（Ａ１）と直交する方向に沿って第１領域（３１）から離れるほど、放出口（５）の側へ近づくように湾曲していることが好ましい。第３の態様によれば、放出口（５）の側へ還流される空気流の層が更に形成され易くなる。
【０１２７】
第４の態様に係る気流環境システム（１、１Ａ〜１Ｋ）に関して、第１〜第３の態様のいずれか１つにおいて、環境空間（１００）には、第１流路（Ｐ１）と、第２流路（Ｐ２）と、が形成されることが好ましい。第１流路（Ｐ１）にて、放出口（５）から放出された空気流が反射部（３、３Ａ〜３Ｊ）に向かって流れる。第２流路（Ｐ２）にて、反射部（３、３Ａ〜３Ｊ）に当たった空気流が放出口（５）の側へ還流する。特定の方向（Ａ１）に沿って見た時に、第２流路（Ｐ２）は、第１流路（Ｐ１）を囲むように形成される。第４の態様によれば、例えば、第１流路（Ｐ１）の側に近づく人にとっては、第２流路（Ｐ２）を通じて還流する空気流の層に触れる可能性が高くなる。よって、気流の体感性が更に向上される。特に、第２流路（Ｐ２）を通じて還流する空気流の速度は、放出口（５）から放出された空気流の速度よりも小さくなり得る。したがって、逆に、放出口（５）から放出された空気が第２流路（Ｐ２）を通って反射部（３、３Ａ〜３Ｊ）に向い、第１流路（Ｐ１）を通って放出口（５）の側へ還流する場合に比べて、第１流路（Ｐ１）の側に近づく人に不快感を与える可能性を低減できる。
【０１２８】
第５の態様に係る気流環境システム（１、１Ａ〜１Ｈ、１Ｊ）に関して、第１〜第４の態様のいずれか１つにおいて、放出口（５）と反射部（３、３Ａ〜３Ｇ、３Ｉ）とは、特定の方向（Ａ１）において、空隙の中空部（９）を介して互いに離間することが好ましい。放出口（５）から放出される空気流、及び放出口（５）の側へ還流する空気流は、中空部（９）を流れる。第５の態様によれば、放出口（５）と反射部（３、３Ａ〜３Ｇ、３Ｉ）とが中空部（９）を介して互いに離間するため、環境空間（１００）内に居る人に開放感を与える可能性を高めることができる。
【０１２９】
第６の態様に係る気流環境システム（１、１Ａ〜１Ｋ）に関して、第１〜第５の態様のいずれか１つにおいて、特定の方向（Ａ１）は、鉛直方向に平行であることが好ましい。第６の態様によれば、例えば特定の方向（Ａ１）が鉛直方向と交差する方向である場合に比べて、放出口（５）の側へ還流する空気流の形成を容易に行うことができる。
【０１３０】
第７の態様に係る気流環境システム（１、１Ａ〜１Ｋ）に関して、第６の態様において、特定の方向（Ａ１）は、鉛直上向きであることが好ましい。第７の態様によれば、放出口（５）の側へ還流する（鉛直下向きの）空気流の形成を、より安定的に行うことができる。
【０１３１】
第８の態様に係る気流環境システム（１、１Ａ〜１Ｋ）は、第１〜第７の態様のいずれか１つにおいて、送風装置（４）を、更に備えることが好ましい。送風装置（４）は、特定の方向（Ａ１）に沿って流れる空気流を発生させて放出口（５）に送る。第８の態様によれば、環境空間（１００）に形成される気流の体感性の向上を図ることが可能な、送風装置（４）付きの気流環境システム（１、１Ａ〜１Ｋ）を提供できる。
【０１３２】
第９の態様に係る気流環境システム（１、１Ａ〜１Ｋ）は、第８の態様において、環境空間（１００）に繋がる吸気口（６）を、更に備えることが好ましい。送風装置（４）は、反射部（３、３Ａ〜３Ｊ）から放出口（５）の側へ還流された空気流を、吸気口（６）から吸い込み、特定の方向（Ａ１）に沿って流れる空気流を発生させる。第９の態様によれば、環境空間（１００）に形成される空気流の循環をより安定的に行うことができる。
【０１３３】
第１０の態様に係る気流環境システム（１、１Ａ〜１Ｋ）は、第１〜第９の態様のいずれか１つにおいて、反射部（３、３Ａ〜３Ｊ）の側に向けて光を照射する投光部（Ｅ１）を、更に備えることが好ましい。第１０の態様によれば、環境空間（１００）に対して、気流に加えて、光（明るさ）を提供できる。
【０１３４】
第１１の態様に係る気流環境システム（１、１Ａ〜１Ｋ）は、第１〜第１０の態様のいずれか１つにおいて、放出口（５）の側に向けて光を照射する照明部（Ｅ２）を、更に備えることが好ましい。第１１の態様によれば、環境空間（１００）に対して、気流に加えて、光（例えば明るさ）を提供できる。
【０１３５】
第１２の態様に係る気流環境システム（１、１Ａ〜１Ｋ）は、第１〜第１１の態様のいずれか１つにおいて、反射部（３、３Ａ〜３Ｊ）の側に向けて音を鳴らすスピーカ部（Ｆ１）を、更に備えることが好ましい。第１２の態様によれば、環境空間（１００）に対して、気流に加えて、音（例えば音響）を提供できる。
【０１３６】
第１３の態様に係る気流環境システム（１、１Ａ〜１Ｈ、１Ｊ、１Ｋ）に関して、第１〜第１２の態様のいずれか１つにおいて、反射部（３、３Ａ〜３Ｇ、３Ｉ、３Ｊ）は、配線ダクト（２００）に取り付けられる取付部（３５）を有することが好ましい。第１３の態様によれば、反射部（３、３Ａ〜３Ｇ、３Ｉ、３Ｊ）の設置に関する施工性が向上される。
【０１３７】
第１４の態様に係る気流環境システム（１、１Ａ〜１Ｋ）は、第１〜第１３の態様のいずれか１つにおいて、放出口（５）から環境空間（１００）に放出する空気流に対して、付加要素を付与する機能部（Ｇ１）を、更に備えることが好ましい。付加要素は、香り、空気浄化、及び温度変化のうちの少なくとも１つを含む。第１４の態様によれば、空気流に対して、付加要素を付与できる。
【０１３８】
第１５の態様に係る気流環境システム（１、１Ａ〜１Ｋ）に関して、第１〜第１４の態様のいずれか１つにおいて、放出口（５）は、床面（１０１）、又は椅子（３０３）を構成する部材の一面に配置されることが好ましい。第１５の態様によれば、放出口（５）が、例えば専用の筐体の一面に配置される場合に比べて、環境空間（１００）の美観が損なわれる可能性を低減しつつ、利便性が向上され得る。
【０１３９】
第１６の態様に係る気流環境システム（１、１Ａ〜１Ｋ）は、第１〜第１５の態様のいずれか１つにおいて、特定の方向（Ａ１）に沿って反射部（３、３Ａ〜３Ｊ）へ流れる空気流をガイドするガイド部（８）を、更に備える。第１６の態様によれば、還流する空気流の安定性を更に向上できる。
【０１４０】
第１７の態様に係る気流環境システム（１、１Ａ〜１Ｋ）に関して、第１６の態様において、ガイド部（８）は、環境空間（１００）を、特定の方向（Ａ１）の周方向（Ｄ４）に沿って２つ以上に分割する仕切部（８０）を有する。第１７の態様によれば、仕切部（８０）によって分割された複数の空間の各々において個別に、気流の体感性の向上を図ることができる。
【０１４１】
第１８の態様に係る気流環境システム（１、１Ａ〜１Ｋ）は、第１７の態様において、人が着座可能な台座（Ｂ１）を更に備える。仕切部（８０）は、台座（Ｂ１）から、特定の方向（Ａ１）に沿って突出している。第１８の態様によれば、仕切部（８０）によって分割された各空間内で、台座（Ｂ１）に着座して気流を体感できる。
【０１４２】
第１９の態様に係る気流環境システム（１、１Ａ〜１Ｋ）に関して、第１６〜第１８の態様のいずれか１つにおいて、ガイド部（８）は、反射部（３、３Ａ〜３Ｊ）を支持する。第１９の態様によれば、空気流をガイドするガイド部（８）とは別に反射部（３、３Ａ〜３Ｊ）を支持するための支持部材を設ける必要がなくなる。
【０１４３】
第２〜第１９の態様に係る構成については、気流環境システム（１、１Ａ〜１Ｋ）に必須の構成ではなく、適宜省略可能である。
【符号の説明】
【０１４４】
１、１Ａ〜１Ｋ  気流環境システム
３、３Ａ〜３Ｊ  反射部
３１  第１領域
３２  第２領域
３５  取付部
４  送風装置
５  放出口
６  吸気口
８  ガイド部
８０  仕切部
９  中空部
１００  環境空間
１０１  床面
２００  配線ダクト
３０３  椅子
Ａ１  特定の方向
Ｂ１  台座
Ｄ４  周方向
Ｅ１  投光部
Ｅ２  照明部
Ｆ１  スピーカ部
Ｇ１  機能部
Ｐ１  第１流路
Ｐ２  第２流路
【図１】
2020118435.tif 000003
【図２】
2020118435.tif 000004
【図３】
2020118435.tif 000005
【図４】
2020118435.tif 000006
【図５】
2020118435.tif 000007
【図６】
2020118435.tif 000008
【図７】
2020118435.tif 000009
【図８】
2020118435.tif 000010
【図９】
2020118435.tif 000011
【図１０】
2020118435.tif 000012
【図１１】
2020118435.tif 000013
【図１２】
2020118435.tif 000014
【図１３】
2020118435.tif 000015
【図１４】
2020118435.tif 000016
【図１５】
2020118435.tif 000017